(57)【要約】【課題】印刷される基材として高価格の高品位用紙を用いる必要がなく、高画質で優れた光沢度を有し、表面保護性、耐水性、耐久性、耐光性に優れた印刷面を有した写真プリントを提供することを目的とする。【解決手段】少なくとも基材と印刷面を有する透明フィルムとを貼着して形成された画像印刷頁を有する写真プリントであって、前記印刷面が透明フィルムにおける基材との貼着面側に形成されている。前記印刷面は電子写真方式のプリンタによって印刷されている。また透明フィルムはポリエステルによって形成されている。また前記基材は白色の非塗工印刷用紙を用いることが可能である。【選択図】図１
2011107421.tif 000002
【特許請求の範囲】
【請求項１】
少なくとも基材と印刷面を有する透明フィルムとを貼着して形成された画像印刷面を有する写真プリントであって、前記画像印刷面が透明フィルムにおける基材との貼着面側に形成されていることを特徴とする写真プリント。
【請求項２】
前記印刷面が、透明フィルムの片面に電子写真方式のプリンタによって印刷されていることを特徴とする請求項１記載の写真プリント。
【請求項３】
前記透明フィルムがポリエステルによって形成されていることを特徴とする請求項１又は２記載の写真プリント。
【請求項４】
前記基材が、白色の非塗工印刷用紙であることを特徴とする請求項１乃至３のいずれか一に記載された写真プリント。
【請求項５】
写真・文字等の情報を入力するデータ入力手段と、当該入力された情報を製本用の各画像印刷頁に表示する表示手段と、当該表示手段によって表示された情報を透明フィルムの片面に印刷する印刷手段と、当該印刷された透明フィルムの印刷面を貼着面側として基材に貼着する貼着手段と、前記手段によって印刷面が形成された複数の画像印刷頁を製本する製本手段とを有することを特徴とするフォトブックの製造方法。
【発明の詳細な説明】
【技術分野】
【０００１】
本発明は、写真プリント及びフォトブックの製造方法に関し、特に印刷面の耐久性と表面光沢性に優れた写真プリント及びオンデマンドに適合したフォトブックの製造方法に関する。
【背景技術】
【０００２】
近年、店頭で迅速に印刷できる写真品質プリントや、デジタル化された写真情報をパソコン等でレイアウト編集し、高品位な大衆向けの写真集の如く製本することができるフォトブックという個人向け写真集製作サービスが進展している。
【０００３】
従来の大衆向けの写真集は、オフセット印刷やグラビア印刷などで製作されるが、これらの印刷方法では、ゴムブランケットやロール状の版胴といった中間転写体を使用することが必要であるため、発注にはある程度の部数が必要であったが、近年のプリンタ技術の進展によりコンピュータ等の情報処理装置からの指令によって、一冊からの個別注文に対しても高品位の大衆向けの写真集に近いものを製作することが可能となった。例えば、特許文献１には、フォトブックの作成方法が開示されている。
【０００４】
しかし、現在の写真プリントは基材表面に直接印刷が施されているため、印刷面が光や気体に触れることによって時間が経つにつれて写真画像があせてしまい、また印刷面に擦り傷が生じたり、水等の液体をこぼすことによって印刷面が汚損し、写真画像が退色等によって劣化するという問題点があった。
【０００５】
また基材表面に直接印刷が施されているため、印刷面に光沢を付与するために表面平滑性の高い高品位用紙を用いなければならず、原紙の値段の高騰につれて製造価格が高騰するという問題があった。
さらにインクジェットを用いて印刷されている場合は、インクの付着していない箇所は基材の質感が露出すると共に、印刷面に凹凸が形成されるため表面平滑性に欠けるという問題があった。
【０００６】
このため、写真画像の退色等を防止するために、基材に印刷した後の写真面に保護液をオーバーコートする方法も用いられている。この方法は前述のフィルムによって覆う方法よりは製造コストを安くすることができるが、ローラーコーティングやグラビアコーティングに用いられる機械類を頻繁にメンテナンスする必要があり、またオーバーコートに用いられる薬品の臭気が製本後も残るといった問題点が指摘されていた。
【先行技術文献】
【特許文献】
【０００７】
【特許文献１】特開平９−４３８２７号公報
【発明の概要】
【発明が解決しようとする課題】
【０００８】
本発明は、印刷される基材として高価格の高品位用紙を用いる必要がなく、全面に均一な光沢が得られる高品位の印刷面が得られると共に、表面保護性に優れることから長期に亘って高画質・高品位を持続させることができる高耐久の印刷面を有した写真プリントを提供することを目的とする。
【０００９】
またオンデマンドに適合し高品位の印刷面を有したフォトブックを迅速・低価格で提供することができるフォトブックの製造方法を提供することを目的とする。
【課題を解決するための手段】
【００１０】
本発明は、上記課題を解決するために以下の構成を採用した。
（１）少なくとも基材と印刷面を有する透明フィルムとを貼着して形成された画像印刷面を有する写真プリントであって、前記画像印刷面が透明フィルムにおける基材との貼着面側に形成されていることを特徴とする写真プリントである。
ここで写真プリントとは、主にアナログ・デジタル・イメージデータ等を入力素材とする写真品質プリント、写真印刷面を有する複数の頁を綴じて装丁を施したフォトブック、ポストカードプリント等のことである。
（２）前記印刷面が、透明フィルムの片面に電子写真方式のプリンタによって印刷されていることを特徴とする上記（１）記載の写真プリントである。
【００１１】
（３）前記透明フィルムがポリエステルによって形成されていることを特徴とする上記（１）又は（２）記載の写真プリントである。
（４）前記基材が、白色の非塗工印刷用紙であることを特徴とする上記（１）乃至（３）のいずれか一に記載された写真プリントである。
【００１２】
（５）写真・文字等の情報を入力するデータ入力手段と、当該入力された情報を製本用の各画像印刷頁に表示する表示手段と、当該表示手段によって表示された情報を透明フィルムの片面に印刷する印刷手段と、当該印刷された透明フィルムの印刷面を貼着面側として基材に貼着する貼着手段と、前記手段によって印刷面が形成された複数の画像印刷頁を製本する製本手段とを有することを特徴とするフォトブックの製造方法である。
【発明の効果】
【００１３】
本発明は、印刷される基材として高価格の高品位用紙を用いる必要がなく、高画質で優れた光沢度を有し、表面保護性、耐水性、耐久性、耐光性に優れた印刷面を有したフォトブック等の写真プリントを提供するという効果を奏する。
【００１４】
さらにオンデマンドに適合し高品位の印刷面を有したフォトブックを迅速・低価格で提供することができるフォトブックの製造方法を提供するという効果を奏する。
【図面の簡単な説明】
【００１５】
【図１】本発明に係る写真プリントにおける画像印刷頁の一実施形態を示す断面図である。
【図２】本発明に係るフォトブックの一実施形態を示す斜視図である。
【図３】本発明に係るフォトブックの製造工程の一実施形態を示す図である。（ａ）は平面図、（ｂ）及び（ｃ）は斜視図である。
【発明を実施するための形態】
【００１６】
本発明に係る写真プリントは、少なくとも基材と印刷面を有する透明フィルムとが貼着された画像印刷頁とを有している。
ここで基材としては、高品位の写真プリントとして現在使用されている種々の材料が用いられる。かかる材料については限定されないが、本発明の透明フィルムとの関係では、アート紙、コート紙、軽量コート紙、キャスト紙、微塗工紙等の塗工紙のみならず、非塗工印刷用紙を用いても良い。特に本発明は透明フィルム側に印刷面を有することから、アート紙、キャスト紙といった高価な塗工紙を用いずに製造コストを抑制することができるという技術的な特徴を有する。
【００１７】
非塗工印刷用紙とは、表面を顔料等でオーバーコートしていない印刷用の紙のことである。ただし、少量のデンプン等の薬品が塗布されているものは含まれる。化学パルプの使用割合により、上級印刷用紙、中級印刷用紙、更紙等の下級印刷用紙、インディア紙、薄葉紙等に分けられる。これらの用紙は比較的価格が廉価であるため最終的な製造コストを抑制することが可能である。
【００１８】
本発明は、印刷面を有する透明フィルムで紙の表面を被覆する点に特徴を有するため、基材における質感は表出しない点に特徴を有している。このため、基材に多少の色や柄が付着していても問題なく使用することができる。
また上級印刷用紙や中級印刷用紙を原紙とし、塗料をオーバーコートした塗工印刷用紙や、表面に塗布する塗料の量を加減した微塗工紙を用いても良い。
また色上質紙等の特殊印刷用紙や感熱紙、コピー用紙等の情報用紙を用いても良い。
上記の原料としては、木材パルプ、合成紙又は古紙であっても良い。
【００１９】
更にポリエチレン（ＰＥ）、ポリエチレンテレフタレート（ＰＥＴ）、ポリプロピレン（ＰＰ）、ポリエステル、ポリカーボネート、セルロースセステル、ポリイミド、ポリ塩化ビニル、ポリビニルアセタール等の高分子フィルムを用いても良い。
【００２０】
次に本発明に用いられる透明フィルムとしては、印刷及び熱によるフィルムの接着に好適な種々の材料を用いることができる。例えば、セルロースエステル又はポリエステルが好適である。中でも印刷発色性に優れ、かつ高耐久性を有しているポリエステルが好適である。
【００２１】
ここでセルロースエステルとしては、セルローストリアセテート、セルロースアセテートプロピオネート、セルロースアセテートブチレート等が挙げられる。またポリエステルとしては、ポリエチレンテレフタレート（ＰＥＴ）、ポリアミド、ポリカーボネート、ポリイミド、ポリオレフィン、ポリエステル、ポリスルホンアミド等が挙げられる。中でも、本発明に用いられる透明フィルムとしては、反射率が高く光沢性に優れているポリエチレンテレフタレート（ＰＥＴ）が好適である。また仕上がりに応じて艶消しＰＥＴフィルム等を用いても良い。
【００２２】
前記透明フィルムについて貼着力の増大、光沢性・画像品質の向上、擦り傷への耐性、色あせの防止、耐水性の向上、耐光性の向上などのために適宜保護層を形成しても良い。保護層を形成する材料としては、ポリエステル、ポリプロピレン、ポリスチレン、ポリスチレン−アクリル樹脂、ポリメタクリル酸メチル、ポリ酢酸ビニル、ポリオレフィン、ポリ（ビニルエチレンコアセテート）、ポリエチレンコアクリル樹脂、アモルファスポリプロピレン及びポリプロピレンの共重合体及びグラフト共重合体等が挙げられる。
【００２３】
本発明に係る写真プリントは、透明フィルムにおける基材との貼着面側に印刷面が形成されている点に特徴を有する。かかる印刷面として反転画像を用いることもできる。
ここで前記印刷面は、プリンタ、オフセット印刷、グラビア印刷等を使用して印刷される。中でも本発明においては、オンデマンドに適合するためプリンタを使用するのが好適である。
【００２４】
プリンタとしては、熱転写方式、熱溶融形、昇華型、感熱式、放電破壊式、インクジェット方式、ドットインパクト方式、電子写真方式、活字プリンタ等を使用することができる。中でも耐久性の観点から電子写真方式のプリンタを使用するのが好適である。電子写真方式のプリンタとしては、タンデム方式、４サイクル方式のいずれを用いても良い。中でも精細な印刷面を得ることができる液体現像による電子写真方式のプリンタを用いるのが特に好ましい。例えば、ヒーレット・パッカード（ＨＰ）社製のIndigo press seriesを用いた印刷が挙げられる。
【００２５】
印刷に用いられるトナーとしては、静電潜像を顕像化させる帯電着色微粒子、カーボンブラックのような着色顔料、極性制御材、その他添加剤を樹脂に分散させて粉体トナー、絶縁性液体中に樹脂や極性制御材を着色顔料に吸着・分散させた液体トナー等が用いられる。中でも粒径が細かい液体トナーが好ましい。通常の粉体トナーは粒径５〜８μｍ程度であるのに対し、液体トナーは１〜２μｍ程度であり精細な印刷面を得ることができる。また液体トナーは、熱による定着プロセスを必要としないため、ＰＥＴ等の透明フィルムに熱による歪みが発生せず容易に転写及び定着が可能である。
【００２６】
本発明に係る写真プリントは、前記印刷面が透明フィルムと基材との貼着側に形成されていることを特徴とする。すなわち、前述の印刷が施された透明フィルムにおける印刷面と基材とを接着剤等を用いて貼着する。透明フィルムと基材との貼着は、フィルムと基剤を適宜接着することができる方法であれば、接着剤以外の熱圧着等の方法を用いても良い。
このように本発明に係る写真プリントは、透明フィルムと基材とが全面密着することから、印刷面と基材との間に生じる空気層による画質の劣化が生じない。
【００２７】
図１は、上記の方法を適宜選択して得られた本発明に係る写真プリントにおける画像印刷頁の一実施形態を示す断面図である。
図１に示す如く、本実施形態に係る画像印刷頁１０は、上面から透明フィルム１、印刷面２、接着層３及び基材４が積層された構造を有する。
【００２８】
このような構造を採用することによって、透明フィルム１と基材４とに印刷面２が挟まれることによって、印刷面２が透明フィルム１により紫外線、気体、擦れ傷から保護することができる。その結果、写真等の印刷された印刷面において長期に亘って高画質・高品位を持続させることができる写真プリントを提供することができる。
【００２９】
また、透明フィルムの全面に印刷面が施された場合は、基材の地色を隠すことができるため、基材として高価格の高品位用紙を用いる必要がなく、写真プリントの製造価格を大幅に抑制することができる。
【００３０】
さらに透明フィルム１による光沢によって、写真プリントの閲覧面の全面に均一な光沢を施すことができ、グラビア写真集と殆ど変わらない高品位の印刷面を有する写真プリントを製造することができる。
【００３１】
また本発明に係る写真プリントは、顧客からの要求があり次第、すぐに製本できるものである。すなわち、写真・文字等の情報を印刷機に送信して透明フィルムの片面にデジタル印刷を行うことができる。
デジタル印刷としては、電子写真方式のプリンタを使用するのが好適である。このようなプリンタは、中間転写体を個別に作成する必要がなく、オンデマンド用途に最も適したものだからである。
そのため、写真・文字等の情報を入力する情報入力手段と、当該入力された情報を製本用の各画像印刷頁に表示する表示手段と、当該表示手段によって表示された情報を透明フィルムの片面に印刷する印刷手段と、を有している。
【００３２】
さらに上記の工程によって得られた印刷された透明フィルムを基材に貼着する貼着手段を有し、さらに前記手段によって印刷面が形成された複数の画像印刷頁を製本する製本手段とを有している。
【００３３】
図２は、上記製造方法によって製造されたフォトブックの一実施形態を示している斜視図である。
図２に示す如く、本実施形態に係るフォトブック２０は、非塗工紙を用いた基材２１と、裏側に印刷面２２が形成された透明フィルム２３とが接着剤によって貼着されている。基材２１と透明フィルム２３とが貼着されたものが画像印刷頁を構成する。このような画像印刷頁を中央で折り返したものを複数重畳して積層することによって一冊の本を形成する。この際、前記印刷面は透明フィルム２３の裏面であって基材２１の表面と密着する透明フィルム２３の貼着側に形成されている。
このようなフォトブックの製造方法を採用することによって、オンデマンドに適合し高品位の印刷面を有したフォトブックを迅速・低価格で提供することができる。
【００３４】
図３は、本発明に係るフォトブックの製造工程の他の実施形態を示す図である。
図３（ａ）は、ＰＥＴによる透明フィルムの裏面に電子写真方式による印刷を施して、基材に貼り付けた状態を示す平面図である。
図３（ａ）の台紙には、長尺の透明フィルムの裏側に、１〜４の区画に各１頁分の印刷が施されている。かかる透明フィルムの印刷面側を接着剤が付された基材に全面密着する。
その後、図３（ｂ）に示す如く、台紙を蛇腹織りし、符号１と符号２、符号３と符号４で示された頁が背併せになるように密着する。次に、図３（ｃ）に示す如く背表紙３６を貼り付けて製本する。
背表紙と反対側３５を切り落とす場合は、基材の裏側にも透明フィルムを貼着しておくことによって、符号３１〜３４で示された頁の裏側にも印刷面を形成することができる。
【実施例】
【００３５】
以下、本発明に係る写真プリントの実施例及び比較例を説明する。
実施例１
ＰＥＴによる透明フィルム［東洋紡：エスペット（登録商標）Ｔ４１００（１６μ）］の片面にIndigo press ws4500（ヒーレッド・パッカード社製）を用いて写真画像を印刷した。
その後、上級印刷用紙（王子製紙：ＦＳ−Ｗ）に接着剤（住友スリーエム：デザインボンド）を全面塗布した後、透明フィルムを印刷面を貼着面側として基材へ貼り付け、本発明に係る写真プリントを作成した。
【００３６】
比較例１
アート紙（王子製紙：ＯＫトップコート）の片面にIndigo press ws4500（ヒーレッド・パッカード社製）を用いて写真画像を印刷した。
その後、印刷面の施されていないＰＥＴによる透明フィルム「東洋紡：エスペット（登録商標）Ｔ４１００（１６μ）］に接着剤（住友スリーエム：デザインボンド）を全面塗布した後、アート紙の印刷面に透明フィルムを貼り付け、比較例１に係る写真プリントを作成した。
【００３７】
実施例２
上記実施例１に記載されたＰＥＴによる透明フィルムの代わりにＰＰによる透明フィルムを用いた。後は実施例１と同じ製造方法によって本発明に係る写真プリントを作成した。
【００３８】
比較例２
上記比較例１に記載されたＰＥＴによる透明フィルムの代わりにＰＰによる透明フィルムを用いた。後は比較例１と同じ製造方法によって比較例２に係る写真プリントを作成した。
比較例３
アート紙（王子製紙：ＯＫトップコート）の片面にIndigo press ws4500（ヒーレッド・パッカード社製）を用いて写真画像を印刷した。
印刷面には特にオーバーコート又は保護シートを貼らずに比較例３に係る写真プリントとした。
【００３９】
比較例４
ＤＰＥ店において、フィルム写真を現像液により印画紙に現像した写真画像を特に保護処理を施すことなく比較例４に係る写真プリントとした。
比較例５
専用受像紙（大日本印刷株式会社：ＭＳ−６９）に昇華プリント（シチズン・システムズ：ＣＷ−０１）によって写真画像を印刷し、印刷面にラミネーションを施すことよって耐水性、耐光性を高めたものを比較例５に係る写真プリントとした。
【００４０】
比較例６
インクジェット用紙にインクジェットプリンタ（ＣａｎｏｎＳ５２０）によって写真画像を印刷し、特に保護処理を施すことなく比較例６に係る写真プリントとした。
比較例７
インクジェット用紙にインクジェットプリンタ（ＣａｎｏｎＳ５２０）によって写真画像を印刷した後、印刷面にフィルムラミネート［東洋紡：エスペット（登録商標）Ｔ４１００（１６μ）］を施すことによって光沢度と耐水性を高めたものを比較例７に係る写真プリントとした。
【００４１】
［プリント方式・材質別の特性比較試験］
以下、上記製造方法によって得られた実施例１及び２、比較例１〜７の各写真プリントにつき以下の評価項目を実施した。
【００４２】
画質  ：画像写真面を視覚によって観察した結果を五段階で評価した。
光沢度：写真画像面の表面における光沢度を視覚によって観察した結果を五段階で評価した。
表面保護性：写真画像面をサンドペーパーで５秒間擦った後の傷の状態を視覚によって観察した結果を五段階で評価した。
耐指紋性：写真画像面に指紋を押し付けた後、ウエスで３回往復して指紋を拭き取った後の残紋を視覚によって観察した結果を五段階で評価した。
耐水性：写真画像面に水をたらし１分間放置した後、ウエスで３回往復して水滴を拭き取った後の状態を視覚によって観察した結果を五段階で評価した。
耐汚染性：
耐久性：
耐光性：写真画像面に紫外線を    時間照射した後、視覚によって観察した結果を五段階で評価した。
【００４３】
［評価数値］
５  非常に優れている
４  優れている
３  普通
２  劣っている
１  非常に劣っている
【００４４】
下記に示す表１は上記の試験結果をまとめた特性比較表である。
【表１】
2011107421.tif 000003
【００４５】
上記表１に示す如く、本発明に係る写真プリントである実施例１及び２のものは、写真画質、光沢度、表面保護性、耐指紋性、耐水性、耐汚染性、耐久性及び耐光性の全てにおいて良好な結果を得ることができた。
それに対して、比較例２の写真プリントは写真画質が若干劣っている。比較例３の写真プリントは光沢度に劣っており、比較例４及び比較例６の写真プリントは耐水性及び耐汚染性に劣っている。
【００４６】
比較例１の写真プリントは評価結果は概ね良好であるが、基材の印刷面と透明フィルムとの間に空気層が存在することから写真画質が実施例１に比較して劣っていた。また基材として高価なアート紙を用いていることから写真プリント又はフォトブック等を製造する際のコストが高騰することが明らかである。
【００４７】
比較例５の写真プリントは、画質等の点で実施例１より評価が低く、高価な専用受像紙とラミネーションの工程が必須となるため写真品質プリント又はフォトブック等を製造する際のコストが高騰することが明らかである。
比較例７は基材の印刷面と透明フィルムとの間に空気層が存在することから写真画質が実施例１に比較して劣っていた。また基材として高価なインクジェット紙を用いていることから写真プリント又はフォトブック等を製造する際のコストが高騰することが明らかである。
【図１】
2011107421.tif 000004
【図２】
2011107421.tif 000005
【図３】
2011107421.tif 000006